(57)【特許請求の範囲】
【請求項１】
ラバーを挿通するリボンの両端側に、山形状に折り曲げたヨークを配し、このヨークに、更に他のヨークを配し、或は配さないで、レバーを連結して組み立て、そのヨークとレバーをそれぞれ長尺平板の両側を長手方向に折り曲げて横断面チャンネル型の骨組材に形成し、ヨークの連結個所は、ヨークの構成材である骨組材を山形に折り曲げ、その折り曲げ頂部の表面を横断する横断辺の連結材配置側に横溝を形成し、このヨークの連結個所に連結する連結材である他のヨーク或はレバーの連結部を、連結材であるヨーク或はレバーで構成する前記チャンネル型とした骨組材の表面の両側基部から突設した舌片を横断溝Ｌ字状に折り曲げた延長片とし、その延長片を、ヨークの前記連結個所に設けた横溝に差し込んで挿通しヨークの骨組材の山形折り曲げ部の頂部を連結材の骨組材の先端の側で抱持してヨークである骨組材と、ヨーク或はレバーである連結材を連結する多段構造のワイパーブレードにおいて、ヨークである骨組材の前記構成から成るヨーク、レバー等の連結材を、先端において平行した切り込みを設けるとともに、該切り込みの間に連結材の表面の基部に突設した舌片を段付延長片としたことを特徴とする多段構造のワイパーブレード。
【発明の詳細な説明】
【０００１】
【発明の属する技術分野】
本発明は、ワイパーブレードに関するものである。
【０００２】
【従来の技術】
これまでのワイパーブレードには、図１に示すように、ラバーを挿通するリボン１の両端側に、山形状に折り曲げ、且つ両端に設けた爪（図示しない）で、前記リボン１を摺動自在に狭持する第１のヨーク２を配し、この各第１のヨークの上には、一端を第１のヨーク２の山形状折り曲げ部を回動自在に抱持する状態で連結する連結部と他端に設けた爪で前記リボンを摺動自在に狭持する山形状に折り曲げた第２のヨークを３配し、この第２のヨーク３には、両端部を第２のヨークの山形折り曲げ部を回動自在に抱持する状態で連結する連結部を形成したレバー４を配した３段式構造として組み立てられ、前記第１のヨークの山形状折り曲げ部を抱持する状態で連結する第２のヨーク３の連結部、並びに第２のヨーク３の山形状折り曲げ部を抱持する状態で連結するレバーの連結部は図２に示すようにリベット５を貫通して連結していた。
【０００３】
ところで、これまでのワイパーブレードには前記した３段式構造として組み立てるワイパーブレードの他にも、第２のヨーク３を省略して第１のヨーク２とレバー４から成る２段式構造として組み立てる多段式構造のワイパーブレードがあり、いずれもヨーク２，３或いはレバー４の連結は、リベット５を貫通して連結しその組立には、またリベット貫通工程を経なければならないことは当然のこととされていた。
しかし、ヨーク２，３、レバー４を多段式に配して組み立てる多段式構造のワイパーブレードの組立に、リベット５を省略することができればリベット貫通工程は勿論省略することができ、その結果、作業は簡略化され、生産コストの減少に通じ、ひいては、低廉な価格で需要者に提供できることになり、このことは生産者側にも需要者側にも多大な利益をもたらすものである。
【０００４】
【発明が解決しようとする課題】
本発明は、前記の理想を実現するため、多段式構造のワイパーブレードの組立にリベットを省略し、部品点数を減らし、組立作業工程を簡略化するとともに需要者に対する提供価格を低廉にし、生産者の利益に併せて需要者の利益の向上に寄与しようとするものである。
【０００５】
【課題を解決するための手段】
ラバーを挿通するリボンの両端側に、山形状に折り曲げたヨークを配し、このヨークに、連結材として更に他のヨークを配し、或いは配さないで、レバーを連結して組み立てる多段構造のワイパーブレードにおいて、ヨークとレバーを長尺平板を長手方向に表面板の両側を折り曲げ横断面チャンネル型の骨組材に形成し、ヨークの連結個所を、該骨組材を長手方向に山形に折り曲げ、その頂部をヨークの骨組材の表面板を横断する横断辺とするとともに、その横断辺の一辺を利用した横溝を連結材配置側に形成し、このヨークの連結個所に連結する連結材である他のヨーク或いはレバーの連結部を、前記骨組材の表面板の両側基部から切り込み延長片を突設し、その切り込み端から切り込み延長片を、該骨組材のチャンネル型内側にほぼ直角に折り曲げ、且つ先端を表面板の延長方向にゆるい下向傾斜角を以て折り曲げて形成し、該連結材の切り込み延長片を、ヨークの前記連結個所に設けた横溝に差し込んで挿通し、ヨークの骨組材の山形折り曲げ部の頂部を連結材の骨組材の先端側で抱持状態で連結する多段構造のワイパーブレードとする。
【０００６】
【作用】
本発明は、上記の構造となっており、ヨーク、レバーの連結個所をリベットを用いずに組合せをすることができ、その上、上記構造のヨーク、レバーを組合せたワイパーブレードは、リベットを用いたと同様に回動自在に且つ確実に連結することができる。
【０００７】
【実施例】
本発明は、ラバーを挿通して成るリボン１と、一個或いは複数個のヨーク２，３並びにレバーを多段構造として組み立てる図１の型式構造のワイパーブレードに関するもので、その特徴は、ヨーク２，３とレバー４を多段構造とするための連結個所並びに連結部について新しい技術を開発したものであり、ヨーク２，３とレバー４の連結個所並びに連結部以外は従来の技術を踏襲するものである。
【０００８】
ヨーク２，３とレバー４は、図３に示すとおり長さ、巾、厚みはそれぞれに適した長尺平板を用い、その長尺平板は長手方向に向けて両側を折り曲げ、表面板の両側に垂下板を形成した横断面チャンネル型とした骨組材を以て構成する。
【０００９】
ヨーク２，３は、第１のヨーク２は勿論、第２のヨーク３を用いるときは、両ヨーク２，３とも前記骨組材は、長手方向の中間部をゆるい角度をもった山形状に折り曲げた頂部とし、その頂部は、ヨーク２，３の表面板を横断する横断辺２Ａ，３Ａとして形成する。
更に、第１のヨーク２，第２のヨーク３を山形状に折り曲げた前記骨組材の頂部に形成される横断辺２Ａ，３Ａには、図３に示すように横断辺２Ａ，３Ａの一辺を利用する横溝２Ｂ、３Ｂを連結材である第２のヨーク３、或いはレバー４を配する側に形成する。
【００１０】
第１のヨーク２、第２のヨーク３の連結個所である山形状折り曲げ部を抱持状態で連結する連結材であるレバー４の先端に形成する連結部は、図３、図５に示すとおりになるように前記骨組材の表面板４Ａの両端に、前記第１，並びに第２ヨーク２，３の山形状折り曲げ部に設けた横溝２Ｂ、３Ｂに相当する巾の舌片４Ｃ突設し、該舌片４Ｃは基部から表面板に向かった切り込み４Ｂを設け、舌片４Ｃを切り込み４Ｂの延長片とする。
その延長片である舌片４Ｃは、図３、図５に示すとおり切り込み４Ｂの基部から、レバー４内側にほぼ直角に折り曲げ、その折り曲げ片を、更にヨーク２，３を構成する骨組材の厚みに相当する長さ位置からレバー４先端に向けてゆるい角度で折り曲げた折り曲げ舌片４Ｃとした延長片とする。
【００１１】
第２ヨーク３を第１ヨーク２に連結材として用いる場合には、第２ヨーク３の先端である第１のヨーク２の山形状折り曲げ部を切り込み３Ｄが抱持状態で折り曲げ舌片４Ｃを横溝に差し込んで連結する連結部も、図３、図５に示した前記したレバー４の先端と同じ構造とする。
【００１２】
ヨーク２，３とレバー４の連結について説明する。
ヨーク２、３もレバー４の先端も図３、図５に示すように形成されている。これを以て第１ヨーク２の連結個所である山形状折り曲げ部の頂部に構成される前記横溝２Ｂに第２ヨーク３の先端を、第２ヨーク３の連結個所である山形状折り曲げ部の頂部に構成された横溝３Ｂに、レバー４の先端に形成された前記のとおり折り曲げた舌片４Ｃとした延長片を差し込んで挿通する。
この折り曲げ舌片とした第２ヨークに形成された舌片３Ｃを形成する延長片、レバー４に形成された延長片である舌片４Ｃを前記横溝２Ｂ、３Ｂに挿通することにより、図６の通りヨークの表面板の山形状に折り曲げた連結個所は、頂部の横溝に差込挿通した折り曲げ舌片とした第２ヨーク３、並びにレバー４の舌片３Ｃ、４Ｃである延長片で、第２ヨーク３、レバー４の表面板に連結し、また、図７の通りヨーク２，３の山形状に折り曲げた個所の両側垂下板は、第２ヨーク、レバーの両側垂下板の切り込み３Ｄ、４Ｂに挟まれた状態となり、更に、第２ヨーク３、レバー４の表面板の先端を折り曲げ舌片とした延長片３Ｃ、４Ｃは、前記した角度で折り曲げてあるので、ヨークの山形折り曲げ部の横溝からははずれないように差し込まれ、前記状態下で、レバーに対し、回動自在となる。
【００１３】
【発明の効果】
即ち、本発明によるヨークとレバーの連結部個所は上記の如く構成されるのでヨークの山形折り曲げ部は、レバーの先端の表面板、両垂下板で抱持された状態でリベットを用いず回動自在に連結される。
レバー４に直接第１のヨークを連結する場合も、第２のヨークに第１のヨークを連結する場合も同じことになる。
しかも、ヨークと連結するヨーク、レバーの連結は、連結部において、連結材がヨークを抱持する状態で連結するので、強い向かい風を受けた場合には勿論のこと、強い横風を受けた場合にもヨークとヨーク、レバーの連結部がはずれることはない。
【図面の簡単な説明】
【図１】従来のワイパーブレードの斜視図
【図２】図１の４−Ａ線拡大断面図
【図３】ワイパーブレードを構成する骨組材の斜視図
【図４】レバー表面板先端に形成した折り曲げ舌片の斜視図
【図５】本発明のワイパーブレードの斜視図
【図６】図５のＡ−Ａ線拡大断面図
【図７】図５のＢ−Ｂ線拡大断面図
【符号の説明】
１    ラバーを挿通したリボン
２      第１のヨーク
２Ａ  山形折り曲げ部の頂部に形成する横断辺
２Ｂ  横断辺を利用した横溝
３    第２のヨーク
３Ａ  山形折り曲げ部の頂部に形成する横断辺
３Ｂ  横断辺を利用した横溝
４    レバー
４Ｂ  切り込み
４Ｃ  延長片
５    リベット
【図１】
0003570611.tif 000002
【図２】
0003570611.tif 000003
【図３】
0003570611.tif 000004
【図４】
0003570611.tif 000005
【図５】
0003570611.tif 000006
【図６】
0003570611.tif 000007
【図７】
0003570611.tif 000008